(57)【要約】【課題】通気性マットを提供する。【解決手段】通気性マットには複数の流体バッグがある。複数の流体バッグは軟質のマット部分の中に設置されていて、さらに、圧力制御装置が接続されていて、その圧力制御装置が空気を出し入れすることによって、流体バッグの内部気圧を変化させることができる。圧力制御装置にはタイマー機能があり、設定時間に応じて特定の流体バッグに対して空気を出し入れするようになっている。したがって、空気の出し入れによって特定の流体バッグ内部の気圧を調整することで、特定の流体バッグが使用者に対して適切な大きさの緩衝力並びにバランスの取れた力を施して、使用者が接触する時の心地よさを高めることを特徴とする。【選択図】    図１
0003127975.tif 000002
【実用新案登録請求の範囲】
【請求項１】
複数の流体バッグ及び少なくとも一つの圧力制御装置を備え、
前述の複数の流体バッグにはそれぞれ一定の形状及び面積があり、
少なくとも一つある圧力制御装置は、パイプによってそれぞれ前述の複数の流体バッグの少なくとも一つの流体バッグに連結していて、それはタイマー機能があって、特定の流体バッグに対して設定した時間によって空気を出し入れし、
また、それは圧力センサーがあって、空気の出し入れによって特定の流体バッグの内部の気圧を調整することが可能であることを特徴とする、圧力を緩和する通気性マット。
【請求項２】
その圧力制御装置には互いに電気的に接続する
計算及びタイマー機能を有するCPUと、
CPUによってその動作が制御され、各流体バッグに通じるパイプの開閉を決定する電磁弁と、
外部の空気を取り込み、空気に対して動力を施すことで、空気が開いた状態のパイプに沿って、各流体バッグに注入するポンプと、
流体バッグ内において、パイプを流れる空気を外部に流出させて、流体バッグの空気を出す目的を果す逃し弁と、
圧力を感じてデジタルデータを発生させ、さらに、そのデジタルデータをCPUに送り、CPUがそのデジタルデータによってポンプをコントロールして空気を入れたり、逃し弁から空気を出したりする圧力センサーとを備えた、請求項１に記載の、圧力を緩和する通気性マット。
【請求項３】
第一流体バッグ、第二流体バッグ、第三流体バッグを備え、
前述第一流体バッグは一定の幅及び形状を持ち、圧力制御装置によってパイプと接続し、
第二及び第三流体バッグがそれぞれ第一流体バッグの中ほどの両側に位置し、一定の面積を持ち、その中に流体が注入できる、請求項１に記載の、圧力を緩和する通気性マット。
【請求項４】
第一流体バッグ、第二流体バッグ、第三流体バッグを備え、
前述第一流体バッグは一定の幅及び形状を持ち、圧力制御装置によってパイプと接続し、
第二及び第三流体バッグがそれぞれ第一流体バッグの中ほどの両側に位置し、一定の面積を持ち、圧力制御装置によってパイプと接続し、
第二、第三流体バッグ上方にはそれぞれ密閉された袋状の部分を形成し、前述の袋状の部分内に液体を注入して、第二、第三流体バッグ上方の二層の液体層を形成する、請求項１に記載の、圧力を緩和する通気性マット。
【請求項５】
マット本体を備え、前述マット本体は柔らかい材質からなり、上部カバー、土台部分、下部カバーを備え、
前述土台部分内は複数の収納区間に区切られていて、前述の複数の収納空間はそれぞれ柔らかい材質で覆われた第一、第二、第三流体バッグを形成して、圧力制御装置が設置されて固定され、
前述上部カバー及び下部カバーは対応して結合して、それぞれ収納槽があって、土台部分を両者の間に収納する、請求項１に記載の、圧力を緩和する通気性マット。
【考案の詳細な説明】
【技術分野】
【０００１】
本考案はマットに関し、気圧制御装置を有し、随時空気を出し入れすることにより、圧力を調整して、通気の目的を達する通気性マットである。
【背景技術】
【０００２】
マットは、一般に柔らかい表面を持ち、物の表面に置いてそれを介して人体が当たるようになっている。人体はマットによって、その表面に接触する時その衝撃力が緩和されるため、直接人体に当たる面に心地よさをもたらす。例えば、座布団マットは、椅子の上において、使用者が座った時に心地よさを感じることができる。
【考案の開示】
【考案が解決しようとする課題】
【０００３】
しかしながら、従来のマットでは、やはり使用上の欠点が見られる。例えば、使用者の体重が重い場合、座った時にその座布団マットは、押しつけられて充分な緩衝性を発揮できなくなるため、使用者は心地よさを感じることができない。さらに、使用者が事務職やドライバー等で、長時間座ることを余儀なくされる場合、座布団マットは使用者の臀部に密着した状態となり、使用者の臀部が接触している部分の空気の流通がなく、一定の時間が経つと、使用者の臀部、特に太ももの部分がむれて不快感を感じることが多い。また、長時間座っている場合、作用力が臀部の一部に集中し、不均衡な力を受けるので、長時間経過すると、臀部に不快感を感じるようになる。このため、使用者が長時間座る場合、暫時椅子から離れたり、姿勢を変えたりして、臀部を空気に触れされて、臀部がマットに密着し続けることにより生じる不快感を取り除くしかない。しかしながら、頻繁に椅子から離れたり、姿勢を換えることは不便であり、臀部とマットの接触面に空気の流通がないことと力の不均衡によって生じる不快感が根本的に解決するわけではない。
【課題を解決するための手段】
【０００４】
本考案は圧力を緩和する通気性マットを提供するものであり、前述の従来のマットの使用上の欠点である、使用者が姿勢を変えなければ心地よさや通気性を保てないという問題を解決することを目的とする。
本考案の圧力を緩和する通気性マットが運用する技術は、複数の流体バッグを利用するものである。この複数の流体バッグは、軟質のマット部分の中に設置されていて、さらに、圧力制御装置が接続されていて、その圧力制御装置が空気を出し入れすることによって、流体バッグの内部気圧を変化させることができる。前述の圧力制御装置にはタイマー機能があり、設定時間に応じて特定の流体バッグに対して空気を出し入れするようになっている。このため、使用者の、その圧力緩和通気マットのマット部分との接触面を変化させて、定時に隙間を発生させて空気を流通させることが可能である。また、その圧力制御装置には、センサー機能があって、使用者によってかけられた圧力を感知することができる。したがって、空気の出し入れによって特定の流体バッグ内部の気圧を調整することで、特定の流体バッグが使用者に対して適切な大きさの緩衝力並びにバランスの取れた力を施して、使用者が接触する時の心地よさを高めることを特徴とする。
【考案の効果】
【０００５】
本考案の通気性マットには、複数の流体バッグがある。この複数の流体バッグは、軟質のマット部分の中に設置されていて、さらに、圧力制御装置が接続されていて、その圧力制御装置が空気を出し入れすることによって、流体バッグの内部気圧を変化させることができる。前述の圧力制御装置にはタイマー機能があり、設定時間に応じて特定の流体バッグに対して空気を出し入れするようになっている。したがって、空気の出し入れによって特定の流体バッグ内部の気圧を調整することで、特定の流体バッグが使用者に対して適切な大きさの緩衝力並びにバランスの取れた力を施して、使用者が接触する時の心地よさを高めることを特徴とする。
【考案を実施するための最良の形態】
【０００６】
図１、図２、図３を参照いただきたい。本考案の圧力緩和通気マットは、マット本体５０、第一流体バッグ１０、第二流体バッグ２０、第三流体バッグ３０、及び、圧力制御装置４０を備える。
【０００７】
図１から図６を参照いただきたい。マット本体５０は柔らかい材質からなり、上部カバー５１、土台部分５２、下部カバー５３を備える。前述土台部分５２内はいくつかの収納区間に区切られていて、それぞれ柔らかい材質で覆われた第一、第二、第三流体バッグ１０、２０、３０を形成する。さらに、圧力制御装置が設置されて固定される。前述上部カバー５１及び下部カバー５３は対応して結合する。そして、それぞれ収納槽５１０、５３０があって、土台部分５２を両者の間に収納する。前述第一流体バッグ１０は本考案の圧力緩和通気マットの中央にあって、一定の幅と形状を持つ。前述第二、第三流体バッグ２０、３０は、それぞれ第一流体バッグ１０の中ほどの両側にあり、一定の面積を持つ。
【０００８】
図４、図５を参照いただきたい。前述の二つの圧力制御装置４０は、電線回路４００を持ち、互いに連結している。さらに、それぞれパイプ４０１及び第一流体バッグ１０に接続している。パイプ４０２はそれぞれ第二、第三流体バッグ２０、３０に接続している。また、前述の二つの圧力制御装置４０には、電気回路（図示はされていない）があって、前述の二つの圧力制御装置４０及び内部パーツを互いに電気接続している。そして、圧力制御装置４０はCPU４１を備え、計算及びタイマー機能を持つ。
【０００９】
電磁弁４２は、CPU４１によってその動作が制御され、第一、第二、第三流体バッグ１０、２０、３０に通じるパイプ４０１、４０２の開閉を決定する。
【００１０】
ポンプ４３は、外部の空気を取り込み、空気に対して動力を施すことで、空気が開いた状態のパイプ４０１に沿って、第一流体バッグ１０に注入され、あるいは、開いた状態のパイプ４０２に沿って第二及び第三流体バッグ２０、３０内に注入される。
【００１１】
逃し弁４４は、第一、第二及び第三流体バッグ１０、２０、３０内において、パイプ４０１、４０２を流れる空気を外部に流出させて、第一、第二、第三流体バッグ１０、２０、３０の空気を出す目的を果す。
圧力センサー４５は、圧力を感じてデジタルデータを発生させ、さらに、そのデジタルデータをCPU４１に送り、CPU４１がそのデジタルデータによってポンプ４３をコントロールして空気を入れたり、逃し弁４４から空気を出したりする。
【００１２】
図７を参照いただきたい。本考案の圧力緩和通気マットを椅子の上に置いて使用者が座る時、使用者は各種の電源（例：交流変換直流電源、一般乾電池、充電電池、カー用バッテリー、あるいは、一般のコンセント）によって得た電力を本考案の圧力緩和通気マットに供給して作動させる。CPU４１が電磁弁４２を動かして、第一、第二、第三流体バッグ１０、２０、３０に通じるパイプ４０１、４０２を開き、さらに、ポンプ４３を動かして、空気を第一、第二、第三流体バッグ１０、２０、３０内に注入する。
【００１３】
図１０、図１１を参照いただきたい。もう一つの実施例においても、CPU４１が電磁弁４２を動かして、第一流体バッグ１０及び、第二、第三流体バッグ２０、３０に通じるパイプ４０１、４０２をそれぞれ開閉し、さらに、ポンプ４３を動かして、空気を第一流体バッグ１０、及び、第二、第三流体バッグ１０、２０、３０内に注入する。前述第一、第二、及び、第三流体バッグ１０、２０、３０が一定の内部気圧に達した時、CPU４１が電磁弁４２を動かして、パイプ４０１、４０２を閉じ、ポンプ４３を停止させて空気の注入をストップする。第一、第二、第三流体バッグ１０、２０、３０は、その内部の気圧を保ち、使用者の臀部に対して適度な緩衝力を施す。さらに、図８を参照いただきたい。本考案の使用の過程において、圧力センサー４５は、使用者の体重を感知し、デジタルデータをCPU４１に送り、CPU４１はそのデータによって、電磁弁４２、ポンプ４３及び逃し弁４４をコントロールして作動させ、空気を出し入れすることにより、第二、第三流体バッグ２０、３０がそれぞれ最も適切な圧力を維持して使用者に最も理想的な緩衝を提供することを可能にする。
【００１４】
図９を参照いただきたい。CPU４１はタイマー機能を持ち、時間を設定して電磁弁４２を動かして、第一流体バッグ１０に通じるパイプ４０１を開き、逃し弁４４を動かして第一流体バッグ１０内から流出する空気を外部に逃がして第一流体バッグ１０の空気を外に出す。こうして、使用者の臀部の、第一流体バッグ１０に対応する接触面との間に隙間を発生させて、空気の流通を促すことにより通気効果を生み出す。したがって、臀部が通気性を欠くことで感じる不快感を取り除き、使用者が座る時の心地よさを高めることができる。
【００１５】
図１２を参照いただきたい。これは、本考案の第二、第三流体バッグ２０、３０上方にそれぞれ流体層２１、３１がある実施例の断面図である。ここでは、第二、第三流体バッグ２０、３０上方にそれぞれ密閉された袋状の部分を形成する。そして、前述の袋状の部分内に液体を注入して、この二層の独立した液体層２１、３１を形成する。さらに、液体層２１、３１には良好な熱吸収効果があり、使用者が感じる不快な熱を取り、不快感を軽減する効果がある。
【００１６】
図１３を参照いただきたい。これは、本考案の第二、第三流体バッグ２０、３０内に液体を注入した、もう一つ別の実施例の断面図である。ここでは、元の図３及び図４に示す実施例の圧力制御装置４０のパイプ４０２が使用されていない。第一流体バッグ１０はやはり圧力制御装置４０のパイプ４０１によって空気の出し入れが行なわれる（図３及び図４を参照いただきたい）。そして、第二、第三流体バッグ２０、３０内には、あらかじめ液体が注入されているか、あるいは、別に注入口を設けて、その注入口から第二、第三流体バッグ２０、３０内に液体を注入して、その注入口を開けて第二、第三流体バッグ２０、３０内の液体を流出させることができる。そして、前述の液体を注入した第二、第三流体バッグ２０、３０は、良好な熱吸収効果及び放熱効果があり、使用者とマットとの接触面の温度を下げる効果がある。
【００１７】
上述の実施例において述べた椅子用マットは、ただ本考案の目的、特徴、機能を説明したものであって、事実上、本考案の圧力緩和通気マットがさらに、アームレスト、クッション、枕等の物品に応用されることも可能である。したがって、本考案の実施例の範囲に留まらない。
【図面の簡単な説明】
【００１８】
【図１】本考案の立体分解図である。
【図２】本考案の部分立体外観図である。
【図３】本考案の上部から見た透視図である。
【図４】本考案の圧力制御装置の外観立体図である。
【図５】本考案の圧力制御装置の立体分解図である。
【図６】本考案のマット本体の部分立体外観図である。
【図７】本考案の作動状態を示した図である。
【図８】本考案のもう一つの作動状態を示した図である。
【図９】本考案のまた別の作動状態を示した図である。
【図１０】本考案のもう一つの実施例の作動状態を示した図である。
【図１１】本考案のもう一つの実施例のもう一つの作動状態を示した図である。
【図１２】本考案の第二、第三の流体バッグの上方にそれぞれ液体層がある実施例の断面図である。
【図１３】本考案の第二、第三の流体バッグ内に液体が注入されているもう一つの実施例の断面図である。
【符号の説明】
【００１９】
１０        第一流体バッグ
２０        第二流体バッグ
２１        流体層
３０        第三流体バッグ
３１        流体層
４０        圧力制御装置
４００      電線回路
４０１      パイプ
４０２      パイプ
４１        CPU
４２        電磁弁
４３        ポンプ
４４        逃し弁
４５        圧力センサー
５０        マット本体
５１        上部カバー
５１０      収納槽
５２        土台部分
５３        下部カバー
５３０      収納槽
【図１】
0003127975.tif 000003
【図２】
0003127975.tif 000004
【図３】
0003127975.tif 000005
【図４】
0003127975.tif 000006
【図５】
0003127975.tif 000007
【図６】
0003127975.tif 000008
【図７】
0003127975.tif 000009
【図８】
0003127975.tif 000010
【図９】
0003127975.tif 000011
【図１０】
0003127975.tif 000012
【図１１】
0003127975.tif 000013
【図１２】
0003127975.tif 000014
【図１３】
0003127975.tif 000015